(57)【要約】      （修正有）【課題】重量物の保持が可能であり、複数物品を収容可能な緩衝容器を提供する。【解決手段】ダンボール素材のＣ式ケースのフタを用いて、フタの天面に、切抜きの収納部４を複数個、同形状、或は異形状などとして設け、フタ表面に、伸縮性のあるポリウレタンフィルム等、熱可塑性フィルム９で被覆し、四方周縁側面を加熱溶着して固定した一対の緩衝容器１とし、フィルム上に、収納物を戴置し、もう一方の、同形状とした緩衝容器の互いのフタ表面を向い合わせて合致させ、保持固定される構造としたので、本考案の緩衝容器を収める外箱に収めることで、物流保管時に於ける衝撃などからも緩和される。【選択図】図１
2020007040.tif 000002
【特許請求の範囲】
【請求項１】
ダンボール板紙等、任意な素材から成る板状材料を、身とフタとで構成される、Ｃ式ケースのフタを用いて、そのフタ天面に、収納物形状に応じた形状の、収納物戴置保持部（以下、収納部）を、複数箇所とするミシン目などの破断線で囲い、設けて、その表面に、例えば伸縮力を有するポリウレタンフィルム等、任意な厚みとした熱可塑性フィルム樹脂のフィルムを、フタ天面から四方周縁部かけて被覆し、その四方周縁部にフィルムを保持固定するため、過熱溶着等の任意な方法で接着固定し、上下、或は左右一対等として使用される略同形状、構成の緩衝容器であり、収納物の形状に応じてフタ天面の施したミシン目を剥して出来た収納部に収納物を戴置することで、フィルムは収納物の加重などで沈み込み、中空で保持された状態となり、もう一方の一対緩衝容器も同様にミシン目を剥した状態で、互いの天面を合致させることで収納物は中空で保持固定され、更に外箱に納め、物流保管時に於ける外部からの衝撃からの緩衝効果も得られる構造としたことを特徴とした緩衝容器である。
【請求項２】
天面部に、一面の収納部のみの緩衝容器としたフタ裏側に、ダンボール板紙等、任意な素材を用いて罫線を施し、ワ冠のワ形や十字形として、その天面表面部に、請求項１と同様として複数のミシン目などの破断線で囲われた収納部を有する形状として、嵌め込み、又は接着剤接着など任意な方法で、後付け可能となる構造としたことで、複数の収納部を、請求項１と略同様の機能を有する緩衝容器としたことを特徴とした緩衝容器である。
【発明の詳細な説明】
【技術分野】
【０００１】  本発明は、物流時に於ける振動や衝撃から、収納物を保護する容器に関するものである。
【背景技術】
【０００２】  従来の容器として、ダンボール板紙を折り曲げて、底と四方周縁側面とで構成した容器の表面に、熱可塑性樹脂フィルムを被覆したものがある。（例えば、特許文献１参照）【０００３】  しかし，前記容器は、ダンボール板紙を素材として、Ｕ字形底の四方周縁側面とした容器表面に、ポリウレタンフィルム等伸縮性のある熱可塑性フィルムを被覆し接合した表面に、収納物を戴置し、そのフィルムの伸縮力で収納物を保持しようとするもので、収納物の保持固定には、フィルムの保持力だけでは、物流時の振動、衝撃に対応できず、複数個を戴置収納した場合にも、物流時の振動、衝撃等で、互いがぶつかり合い、収納物が破損する等の問題が発生する。【０００４】  この改善策として、収納物の大小、単数複数など、それぞれ個別容器とする方法もあるが、作業や容器の在庫管理等が煩雑になるので経済性も損なわれる等の問題点も発生する。
【先行技術文献】
【特許文献】
【０００５】
【特許文献１】実登  ３１０６０１１  公報
【発明の概要】
【発明が解決しようとする課題】
【０００６】  以上に述べた従来の容器では、収納物の大小や、複数個の収納が制限されるという点である。【０００７】  本発明は、上記問題に鑑み、前記容器と同様の素材であるダンボール板紙や、熱可塑性樹脂フィルムを用いても、その構成、形状を変更することで、収納物の大小、複数個の収納を互いに破損し合う事のない容器とすることを目的とする。
【課題を解決するための手段】
【０００８】  そして、本発明は上記目的を達成するために、容器素材をダンボール板紙でＣ式形状のフタ部分を天面として、その表面の任意な位置に、剥すと収納部となるミシン目等の破断線で囲われた複数の任意な形状の収納部を施し、更にその表面から四方周縁側面部の任意な位置に架けて、伸縮性のあるポリウレタンフィルムなど熱可塑性樹脂フィルムで被覆し、四方周縁側面部の任意な位置に、熱溶着等任意な方法で接合した構造としたものと、同形状又は個略同形状の構造とした一対で構成される。【０００９】  その使用時には、本発明の一対の緩衝容器を納める外箱の底部に、本発明の緩衝容器の天面を表面としてまず納め、収納物に応じた収納部の周囲破断線を剥し、表面のフィルム上に収納物を戴置することで収納物は、自重などで沈下状態となり、もう一方の対の緩衝容器表面部とを互いに向かい合わせ、外箱に収めることで、収納物は外箱内に中空に保持され、物流保管時に於ける衝撃から緩衝保護される構造とした。
【発明の効果】
【００１０】  本発明の緩衝容器は、ダンボール板紙など、任意な素材から成るＣ式形状のフタ表面に、ミシン目などの破断線で囲った、剥すと収納部と成るよう施した表面に、伸縮性のあるポリウレタンフィルムなどの熱可塑性樹脂フィルムで被覆した収納部を、大小又は、異形状として、複数としたので、その収納部フィルム表面に戴置した収納物は、略収納部厚さ半分ほどを、その自重などで沈下させるなどで、収納位置をずらすことのない緩衝容器を一対として、互いの表面を向い合わせにして使用することで、収納物が中空に保持されるよう準備された外箱に、上下一対として収めることで、隣合って収納された収納物も、互いにぶつかり合うことなく、物流保管時における衝撃などからも保護され、１個の緩衝容器で、複数の収納物を収められ、保管場所も低減でき、経済的効果も得られる。
【図面の簡単な説明】
【００１１】
【図１】  本発明の実施形態を示す緩衝容器の上面図と正面側面図
【図２】  図１のＡ−Ａ断面図
【図３】  図２の収納部に、物品を戴置したＡ−Ａ断面図
【図４】  図３として物品を戴置して外箱内に収納し、対とした同様の緩衝容器の表面同士を向かい合わせて外箱内に治めたＡ−Ａ断面図
【発明を実施するための形態】
【００１２】  以下、本発明の実施の形態を図１〜図４に基づいて説明するが、代表事例であり、本発明を制限するものではありません。
【００１３】  図１は、本発明の緩衝容器１の上面図と、正面側面図であり、ダンボール板紙３を用いて、Ｃ式フタ形状としたその天面表面２に、剥すと複数の収納部４となる破断線５を施し、更にその天面表面２上を中心に、伸縮性のあるポリウレタンフィルムなどの熱可塑性樹脂フィルムで、Ｃ式フタ四方周縁部６の任意な位置にまで被覆し、そのフィルムをＣ式フタ四方周縁部６の任意な位置に加熱溶着してフィルムを固定する貼合部７とした状態を示したものである。
【００１４】  図２は、図１のＡ−Ａ断面図であり、破断線５で囲まれた収納部４を二ヶ所とする為、収納部４とする表面ダンボール板紙３を剥し除いた状態を示したものである。
【００１５】  図３は、図２とした収納部４のフィルム９の上に、収納物８をそれぞれ戴置すると、それら収納物８は自重等で沈下保持された状態を示すＡ−Ａ断面図である。
【００１６】  図４は、図３とした緩衝容器表面２に、図２として一対とした緩衝容器天面表面２を合致させ、外箱１０に収容した状態を示すＡ−Ａ断面図であり、外箱１０に緩衝容器を収容することで、収納物８は中空に保持されるので、物流保管時における衝撃から緩衝保護されるし、図１に複数の容器収納部４と成る破断線５を設けているので、一つの緩衝容器で複数の収納物８に対応可能となり経済的であり、緩衝容器保管場所の低減も図れる。
【符号の説明】
【００１７】  １  緩衝容器
２  緩衝容器天面表面部
３  緩衝容器素材のダンボール板紙
４  破断線で囲った収納部
５  破断線
６  Ｃ式フタの周縁部
７  貼合部
８  収納物
９  伸縮性を有する熱可塑性樹脂フィルム
１０  外箱
【図１】
2020007040.tif 000003
【図２】
2020007040.tif 000004
【図３】
2020007040.tif 000005
【図４】
2020007040.tif 000006